(57)【要約】【課題】照明器具の外面に当接させる当接面の大きさを確保しつつ、全体的に小型化して軽量化を図ることができる機能部品を提供する。【解決手段】機能部品は、外郭を形成するケース部材と、ケース部材の内部に収納される基板と、を備えている。ケース部材は、第１側面と、第１側面の一端縁から延伸され、照明器具の外面に当接させる第２側面と、第２側面の延伸させた端縁と第１側面の他端縁とを繋ぎ、第２側面に対して一部又は全面が傾斜又は湾曲した第３側面と、を有する。【選択図】図１
2019061931.tif 000002
【特許請求の範囲】
【請求項１】
照明器具に取り付けられる機能部品であって、
外郭を形成するケース部材と、
前記ケース部材の内部に収納される基板と、を備え、
前記ケース部材は、
第１側面部と、
前記第１側面部の一端縁から延伸され、前記照明器具の外面に当接させる第２側面部と、
前記第２側面部の延伸させた端縁と前記第１側面部の他端縁とを繋ぎ、前記第２側面部に対して一部又は全面が傾斜又は湾曲した第３側面部と、を有する、機能部品。
【請求項２】
前記ケース部材の内部には、前記基板に接続されるセンサ部材が収納されており、
前記第１側面部には、前記センサ部材を露出させる開口部が形成されている、請求項１に記載の機能部品。
【請求項３】
前記ケース部材の内部には、前記第２側面部に隣接する位置に、前記照明器具に接続するための電線と、前記電線を前記基板に接続するためのコネクタと、が設けられている、請求項１又は２に記載の機能部品。
【発明の詳細な説明】
【技術分野】
【０００１】
本発明は、照明器具に取り付けられる人感センサ等の機能部品に関するものである。
【背景技術】
【０００２】
従来、例えば特許文献１に開示されているような照明器具が知られている。この照明器具は、上開口部と下開口部を有する支柱枠組の内部に、光源ユニットを固定した構成である。支柱枠組は、上開口部から下開口部に渡って配置された主支柱部材と、主支柱部材を連結したガード部材と、を組み合わせて構成されている。
【先行技術文献】
【特許文献】
【０００３】
【特許文献１】特開２０１７−４１３２６号公報
【発明の概要】
【発明が解決しようとする課題】
【０００４】
特許文献１に開示されているような照明器具では、例えば人感センサ、照度センサ、非常灯ユニット又は無線ユニットのような機能部品を必要に応じて後から取り付ける場合がある。機能部品は、例えば外郭の形成する矩形状のケース部材の内部に、センサ基板及びセンサ部材を設けた構成がある。この機能部品は、ケース部材の複数の外面のうち一つの面のみを照明器具の支柱枠組に当接させて取り付けられる。機能部品を照明器具に安定させて取り付けるためには、当接させる接触面を大きくする必要がある。しかし、機能部品は、支柱枠組との接触面を大きくすると、ケース部材が大型になるため、重量が増して取り扱いが不便となる。また、ケース部材が大型になると、意匠的に見栄えが悪くなるし、表面に蓄積する埃の量も増えて清掃の負担が増す。
【０００５】
本発明は、上記のような課題を解決するためになされたもので、照明器具の外面に当接させる当接面の大きさを確保しつつ、全体的に小型化して軽量化を図ることができる機能部品を提供することを目的とする。
【課題を解決するための手段】
【０００６】
本発明に係る機能部品は、照明器具に取り付けられる機能部品であって、外郭を形成するケース部材と、前記ケース部材の内部に収納される基板と、を備え、前記ケース部材は、第１側面部と、前記第１側面部の一端縁から延伸され、前記照明器具の外面に当接させる第２側面部と、前記第２側面部の延伸させた端縁と前記第１側面部の他端縁とを繋ぎ、前記第２側面部に対して一部又は全面が傾斜又は湾曲した第３側面部と、を有するものである。
【発明の効果】
【０００７】
本発明の機能部品によれば、照明器具の外面に当接させる第２側面部の大きさを確保した構成であっても、第３側面部の一部又は全面を傾斜面又は湾曲面として不要な部分を簡略化したので、全体的に小型化して軽量化を図ることができる。
【図面の簡単な説明】
【０００８】
【図１】本発明の実施の形態に係る機能部品を照明器具に取り付けた状態を示した斜視図である。
【図２】本発明の実施の形態に係る機能部品を照明器具に取り付けた状態を示した正面図である。
【図３】本発明の実施の形態に係る機能部品を照明器具から取り外した状態を拡大して示した斜視図である。
【図４】本発明の実施の形態に係る機能部品を取り付ける照明器具の分解斜視図である。
【図５】本発明の実施の形態に係る機能部品の分解斜視図である。
【図６】本発明の実施の形態に係る機能部品であって、照明器具に取り付けた状態の縦断面図である。
【図７】本発明の実施の形態に係る機能部品の第二固定部材を示した斜視図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態．
本実施の形態に係る機能部品２は、照明器具１に取り付けられるものである。先ずは、照明器具１の構成を、図１〜図４に基づいて説明する。図１は、本発明の実施の形態に係る機能部品を照明器具に取り付けた状態を示した斜視図である。図２は、本発明の実施の形態に係る機能部品を照明器具に取り付けた状態を示した正面図である。図３は、本発明の実施の形態に係る機能部品を照明器具から取り外した状態を拡大して示した斜視図である。図４は、本発明の実施の形態に係る機能部品を取り付ける照明器具の分解斜視図である。照明器具１は、図１〜図４に示すように、アーム１０と、電源ユニット１１と、天板１２と、支柱枠組１３と、光源ユニット１５と、カバー部材１８と、を有している。
【００１１】
アーム１０は、照明器具１を天井又は梁に取り付けるものである。アーム１０は、略Ｕ字形状であり、両端部が支柱枠組１３の両側面の中央に回動自在に取り付けられている。
【００１２】
電源ユニット１１は、六面体の箱状の金属製筐体の内部に、光源ユニット１５へ電力を供給するための電源回路を有した構成である。
【００１３】
天板１２は、上面中央に電源ユニット１１を載せて電源ユニット１１を固定するものである。天板１２は、支柱枠組１３の上面に固定されており、光源ユニット１５の上面を覆っている。天板１２は、金属板で構成されている。
【００１４】
支柱枠組１３は、光源ユニット１５を収納するものである。支柱枠組１３は、主支柱部材１３ａと、中間支柱部材１３ｂと、ガード部材１３ｃと、を略直方体形状となるように組み合わせて柵状の外側面を形成した構成である。支柱枠組１３は、上開口部が天板１２で覆われ、下開口部がカバー部材１８によって覆われている。主支柱部材１３ａ、中間支柱部材１３ｂ及びガード部材１３ｃは、それぞれ金属板で構成されている。
【００１５】
主支柱部材１３ａは、金属板を略直角に折り曲げてＬ字状に形成された構成であり、支柱枠組１３の四隅に配置されている。
【００１６】
中間支柱部材１３ｂは、支柱枠組１３の長辺部分にて隣接する主支柱部材１３ａの間において、主支柱部材１３ａと平行させて設けられている。中間支柱部材１３ｂには、機能部品２を取り付けるための支持機構１４が設けられている。この支持機構１４は、中間支柱部材１３ｂの左右側縁から主支柱部材１３ａ側に向かって突き出す一対の凸部１４ａと、該凸部１４ａの上方に設けられ、第一固定部材４を差し込むための凹部１４ｂとで構成されている。
【００１７】
ガード部材１３ｃは、隣接する主支柱部材１３ａを連結するものである。ガード部材１３ｃは、主支柱部材１３ａ及び中間支柱部材１３ｂとネジ接合されている。なお、図１に示すように、支柱枠組１３の長辺部分におけるガード部材１３ｃは、機能部品２を取り付ける際に取り外される場合がある。
【００１８】
光源ユニット１５は、支柱枠組１３の内部に配置されて固定され、電源ユニット１１から電力の供給を受けて光源を発光させるものである。光源ユニット１５は、ヒートシンク１６と、ヒートシンク１６の下面に配置されたＬＥＤ基板１７と、を有している。ヒートシンク１６は、矩形状の放熱板１６ａと、放熱板１６ａから立設された複数の放熱フィン１６ｂと、を有している。放熱板１６ａは、支柱枠組１３と略同一の平面形状で構成され、上面の外周縁に上方に向かって立ち上がる外周壁１６ｃが設けられている。ＬＥＤ基板１７は、一例として６個のＬＥＤ１７ａを配列した構成である。ＬＥＤ１７ａは、放熱フィン１６ｂの直下に配置されている。
【００１９】
カバー部材１８は、支柱枠組１３にネジ接合等で固定され、光源ユニット１５の底面を覆っている。カバー部材１８は、例えば合成樹脂製である。
【００２０】
次に、本実施の形態に係る機能部品２の構成を、図１〜図４を参照しつつ図５〜図７に基づいて説明する。図５は、本発明の実施の形態に係る機能部品の分解斜視図である。図６は、本発明の実施の形態に係る機能部品であって、照明器具に取り付けた状態の縦断面図である。図７は、本発明の実施の形態に係る機能部品の第二固定部材を示した斜視図である。図５に示した機能部品２は、一例として人感センサである。人感センサとは、人間の有無及び所在を検知するためのセンサである。人感センサから成る機能部品２は、図５及び図６に示すように、外郭を形成するケース部材３と、ケース部材３の内部に収納されるセンサ基板３２及びセンサ部材３３と、を備えている。
【００２１】
ケース部材３は、図５及び図６に示すように、センサ部材３３を露出させる開口部３１ａが形成された第１側面部３１ｃと、第１側面部３１ｃの一端縁から延伸され、照明器具１の外面に当接させる第２側面部３０ａと、第２側面部３０ａの延伸させた端縁と第１側面部３１ｃの他端縁とを繋ぎ、第２側面部３０ａに対して一部が湾曲した第３側面部３０ｂと、を有している。
【００２２】
具体的には、ケース部材３は、図５に示すように、下面に開口を有するケーストップ部３０と、ケーストップ部３０の開口を覆うケースボトム部３１と、で構成されている。ケース部材３は、ケーストップ部３０とケースボトム部３１とを組み合わせて箱状に形成される。ケース部材３は、一例としてケーストップ部３０に設けた爪部を、ケースボトム部３１に設けた係止孔に掛け留めることにより組み合わされる。
【００２３】
ケーストップ部３０は、中間支柱部材１３ｂに当接させる第２側面部３０ａと、第２側面部３０ａの上端縁から下面に向かって一部が湾曲する第３側面部３０ｂと、を有している。第２側面部３０ａは、大きく形成することで、機能部品２を照明器具１に取り付ける際の位置決めを容易にすることができ、照明器具１に取り付けた機能部品２の安定性も高めることができる。第３側面部３０ｂは、ケース部材３の背面側を形成するものである。なお、第３側面部３０ｂは、湾曲面に限定されず、傾斜面としてもよい。また、第３側面部３０ｂは、第２側面部３０ａの上端縁から下面に向かって全面を湾曲面又は傾斜面としてもよい。
【００２４】
ケーストップ部３０は、上面に電線１９（ハーネス）を通すための電線孔３０ｃが形成されている。電線１９は、一端がケース部材３の内部に配置したセンサ基板３２に接続され、他端が照明器具１の電源ユニット１１に接続されている。電線１９の一端は、図６に示すように、ケーストップ部３０の内部において、第２側面部３０ａに隣接する位置に配置され、インシュロック１９ｂで張力止めされて固定されている。一方、電線１９の他端は、図３に示すように、クリップ１９ｃで張力止めされて電源ユニット１１を構成する金属製筐体の上面に固定される。図１〜図３に示すように、電線１９と電源ユニット１１とを接続した箇所は、コネクターカバー１９ａによって覆われて保護されている。コネクターカバー１９ａは、電源ユニット１１の上面にネジ部材等の接合部材でしっかりと固定されている。なお、電線１９は、アーム１０の可動範囲を妨げないような長さとする。
【００２５】
ケーストップ部３０には、図６に示すように、内面に上下方向に延びるリブ３０ｄが４つ設けられている。リブ３０ｄは、ケース部材３を補強する目的のほか、センサ基板３２の上面側に当接して、該センサ基板３２を固定するために設けられている。
【００２６】
ケースボトム部３１は、上面に開口を有する凹形状で構成されており、センサ部材３３の受光部３５を露出させるための開口部３１ａが４つ形成された第１側面部３１ｃを有している。また、ケースボトム部３１の凹内部の隅部には、センサ基板３２に形成された貫通孔３２ａに挿入されて、センサ基板３２の下面側を固定するための基板支持部３１ｂが３つ設けられている。
【００２７】
センサ基板３２は、板面がケース部材３の第１側面部３１ｃと対向するように、ケース部材３の内部に配置されている。センサ基板３２は、第２側面部３０ａに隣接する位置に、電線１９をセンサ基板３２に接続するためのコネクタ３６が設けられている。機能部品２は、照明器具１の外面に当接させる第２側面部３０ａの大きさを確保することで、ケース部材３の第２側面部３０ａに隣接する位置に大きな内部スペースが形成される。ケース部材３は、内部スペースに電線１９及びコネクタ３６を配置することで、該内部スペースを有効活用でき、ケース部材３をより小型化及び軽量化することができる。
【００２８】
また、センサ基板３２には、センサ部材３３が、ケース部材３の底面に位置するように実装されており、センサ部材３３からの信号を取得して処理するセンサ回路を有している。センサ基板３２は、ケーストップ部３０のリブ３０ｄとケースボトム部３１の基板支持部３１ｂとで固定されている。
【００２９】
センサ部材３３は、センサ基板３２に取り付けられるセンサースペーサ３４と、該センサースペーサ３４によって共通に支持された４つの受光部３５と、で構成されている。受光部３５は、センサースペーサ３４に支持された一方が、センサ基板３２に接続されている。また、受光部３５は、ケースボトム部３１に設けた開口部３１ａから一部が外部へ露出している。
【００３０】
また、機能部品２は、図３、図５〜図７に示すように、ケース部材３に設けられた第一固定部材４と、照明器具１に取り付けられる第二固定部材５と、を備えている。第一固定部材４は、支持機構１４にスライドさせて組み付けられるものである。第一固定部材４は、照明器具１に取り付けられるケース部材３の第２側面部３０ａに間隔をあけて設けられた一対の係合部４０と、係合部４０の下端に設けられた接合部４１と、で構成されている。
【００３１】
係合部４０は、支持機構１４に向かって突き出し、突き出した端部を内方に屈曲させた形状を成し、ケーストップ部３０の第２側面部３０ａの高さ方向に沿って縦長に形成されている。係合部４０は、支持機構１４の凸部１４ａを両側から挟み付けるようにスライドさせて組み付けられる。
【００３２】
接合部４１は、支持機構１４にスライドさせて組み付けられた第一固定部材４を第二固定部材５に接合するために設けられている。接合部４１は、貫通孔４１ａを有する平面部と、平面部の一端縁から下方に向かって屈曲した垂直面部とでＬ字状に構成されている。
【００３３】
第二固定部材５は、図３及び図６に示すように、ケース部材３を照明器具１に取り付ける際に、放熱板１６ａの外周壁１６ｃに取り付けられる。第二固定部材５は、図７に示すように、ケース部材３の第２側面部３０ａが当接する垂直面部５０と、垂直面部５０の上端縁から照明器具１側に向かって屈曲した水平面部５１と、水平面部５１の両端に設けられ、放熱板１６ａに掛け留められる２つのフック部５２と、を有している。また、第二固定部材５は、垂直面部５０の下端縁からケース部材３側に向かって突き出し、ケース部材３の底面に当接して、ケース部材３を目標の位置で保持する保持部５３を有している。
【００３４】
垂直面部５０は、図６に示すように、中間支柱部材１３ｂの下方に配置されて、中間支柱部材１３ｂと共にケース部材３の第２側面部３０ａが当接される。水平面部５１は、図６に示すように、中間支柱部材１３ｂの下端を内方に屈曲させた屈曲面に当接される。
【００３５】
フック部５２は、ケース部材３の横幅寸法と略同程度の間隔をあけて設けられている。左右のフック部５２の間にケース部材３をスライドさせて嵌め込むためである。フック部５２は、中間支柱部材１３ｂを挟んで左右両側に位置するように、放熱板１６ａの外周壁１６ｃに取り付けられる。各フック部５２には、第一固定部材４の接合部４１と接合するために、ネジ等の締結部材６の貫通孔５２ａが形成されている。
【００３６】
ここで、機能部品２を照明器具１に取り付けるための手順を簡潔に説明する。先ず、機能部品２は、図２に示すように、第二固定部材５を照明器具１の放熱板１６ａに取り付ける。次に、ケース部材３の第２側面部３０ａを中間支柱部材１３ｂに当てがい、第一固定部材４の係合部４０を支持機構１４の凹部１４ｂに差し込み、第一固定部材４を下方にスライドさせて係合部４０を凸部１４ａに組み合わせる。第一固定部材４は、ケース部材３の第１側面部３１ｃが第二固定部材５の保持部５３に突き当たるまで下方にスライドさせる。そして、フック部５２の貫通孔５２ａと、第一固定部材４の接合部４１の貫通孔４１ａとに、締結部材６を共通に挿入して締結する。
【００３７】
以上のように、本実施の形態に係る機能部品２は、外郭を形成するケース部材３と、ケース部材３の内部に収納される基板３２と、を備えている。ケース部材３は、第１側面部３１ｃと、第１側面部３１ｃの一端縁から延伸され、照明器具１の外面に当接させる第２側面部３０ａと、第２側面部３０ａの延伸させた端縁と第１側面部３１ｃの他端縁とを繋ぎ、第２側面部３０ａに対して一部又は全面が傾斜又は湾曲した第３側面部３０ｂと、を有する。つまり、機能部品２は、照明器具１の外面に当接させる第２側面部３０ａの大きさを確保した構成であっても、第３側面部３０ｂの一部又は全部を傾斜面又は湾曲面として不要な部分を簡略化したので、全体的に小型化して軽量化を図ることができる。よって、機能部品２は、取り扱いが容易となる。また、ケース部材３は、第３側面部３０ｂにより照明器具１から徐々に突出するような形状なので、意匠的に見栄えがよい。更に、機能部品２は、第３側面部３０ｂを傾斜面又は湾曲面とすることで、表面に蓄積する埃の量も抑制できる。その上、機能部品２は、材料費を削減できるから、製造コストの削減にも寄与することができる。
【００３８】
また、ケース部材３の内部には、基板３２に接続されるセンサ部材３３が収納されている。そして、第１側面部３１ｃには、センサ部材３３を露出させる開口部３１ａが形成されている。このように、本実施の形態に係る機能部品２は、照明器具１において必要性の高い人感センサ又は照度センサ等を、後から照明器具１に取り付ける構造として、特に好適に実施されるものである。
【００３９】
また、ケース部材３の内部には、第２側面部３０ａに隣接する位置に、照明器具１に接続するための電線１９と、電線１９をセンサ基板３２に接続するためのコネクタ３６と、が設けられている。機能部品２は、照明器具１の外面に当接させる第２側面部３０ａの大きさを確保することで、ケース部材３の第２側面部３０ａに隣接する位置に大きな内部スペースが形成される。つまり、ケース部材３は、内部スペースに電線１９及びコネクタ３６を配置することで、該内部スペースを有効活用でき、ケース部材３をより小型化及び軽量化することができる。更に、電線孔３０ｃとコネクタ３６を対向するように設けることで、電線１９の長さを短くすることができる。
【００４０】
以上に本発明を実施の形態に基づいて説明したが、本発明は上述した実施の形態の構成に限定されるものではない。例えば、機能部品２は、一例として人感センサとした構成を示したが、これに限定されない。機能部品２は、例えば照度センサ、非常灯ユニット又は無線ユニット等でもよい。また、支持機構１４の上記構成は一例であって、第一固定部材４をスライドさせて組み付けることができれば、他の構成でもよい。また、詳細に図示することは省略したが、機能部品２は、照明器具１との間に高さを変化させる機構或いは左右方向に回転させることができる機構を付加して、センサの検知範囲を可変できる構成としてもよい。要するに、いわゆる当業者が必要に応じてなす種々なる変更、応用、利用の範囲をも本発明の要旨（技術的範囲）に含むことを念のため申し添える。
【符号の説明】
【００４１】
１  照明器具、２  機能部品、３  ケース部材、４  第一固定部材、５  第二固定部材、６  締結部材、１０  アーム、１１  電源ユニット、１２  天板、１３  支柱枠組、１３ａ  主支柱部材、１３ｂ  中間支柱部材、１３ｃ  ガード部材、１４  支持機構、１４ａ  凸部、１４ｂ  凹部、１５  光源ユニット、１６  ヒートシンク、１６ａ  放熱板、１６ｂ  放熱フィン、１６ｃ  外周壁、１７  ＬＥＤ基板、１７ａ  ＬＥＤ、１８  カバー部材、１９  電線、１９ａ  コネクターカバー、１９ｂ  インシュロック、１９ｃ  クリップ、３０  ケーストップ部、３０ａ  第２側面部、３０ｂ  第３側面部、３０ｃ  電線孔、３０ｄ  リブ、３１  ケースボトム部、３１ａ  開口部、３１ｂ  基板支持部、３１ｃ  第１側面部、３２  センサ基板、３２ａ  貫通孔、３３  センサ部材、３４  センサースペーサ、３５  受光部、３６  コネクタ、４０  係合部、４１  接合部、４１ａ  貫通孔、５０  垂直面部、５１  水平面部、５２  フック部、５２ａ  貫通孔、５３  保持部。
【図１】
2019061931.tif 000003
【図２】
2019061931.tif 000004
【図３】
2019061931.tif 000005
【図４】
2019061931.tif 000006
【図５】
2019061931.tif 000007
【図６】
2019061931.tif 000008
【図７】
2019061931.tif 000009